(57)【特許請求の範囲】
【請求項１】
外面上部に対向する注入口及び吐出口を備えるタンクの内部に設置される濾過ユニットであって、
濁水を浄化するフィルターを横置きに並べて収容するカートリッジと、
このカートリッジの下面周囲に着脱可能に取り付けられる脚と、を備え、
前記カートリッジは、上下に複数段重ねられて、枠体の上下面に網体を着脱可能に取り付けて構成され、
前記カートリッジの外周面に、前記タンク内面との漏水防止用のパッキング材が設けられ、
前記タンクの内部に、前記複数段重ねられたカートリッジを前記脚で置いて、前記タンクの前記吐出口側の三面の内面に前記パッキング材を密着させ、
前記タンクの内部の前記注入口側の上部に仕切板を入れて、前記複数段重ねられたカートリッジの周囲の一面の前記パッキング材に前記仕切板の下半部を密着させたことを特徴とする濾過ユニット。
【請求項２】
前記網体の周囲に、上下に重ねられる前記カートリッジとの漏水防止用のパッキング材を備えることを特徴とする請求項１に記載の濾過ユニット。
【請求項３】
前記カートリッジ内部の周囲には、横置きに並べて収容する前記フィルターを載せる弾性部材による漏水防止材を備えることを特徴とする請求項１または２に記載の濾過ユニット。
【請求項４】
前記仕切板の側部に、前記タンク内面との漏水防止用のパッキング材を備えることを特徴とする請求項１から３のいずれか一項に記載の濾過ユニット。
【発明の詳細な説明】
【技術分野】
【０００１】
本発明は、濾過ユニットに関する。
【背景技術】
【０００２】
特許文献１において、土砂工事により生じる濁水を浄化するための濁水処理池に使用される濾過材料であって、該濁水処理池で使用される濾過材料は、乾燥植物体を圧縮成形した成形体であり、長尺状に形成されて、その長さ方向に沿う外面が乾燥植物体を用いて形成されたロープ又はネットで包囲されていることを特徴とする濁水処理池用の濾過材料の発明が開示されている。
具体的には、濾過材料は円柱状に形成されており、その外周面が乾燥植物体を用いて形成されたロープ又はネットで包囲されている。そして、濾過材料は複数積み重ねられて掘池を区画しており、該複数の濾過材料は、段違いに積み重ねられて、掘池に垂直に設けられる支持部材で支持されている。
【先行技術文献】
【特許文献】
【０００３】
【特許文献１】特許第３６７９９６８号公報
【発明の概要】
【発明が解決しようとする課題】
【０００４】
しかし、特許文献１の発明では、フィルターを縦置きに設置しているため、その縦置きにされたフィルターの下部が沈殿物によって埋まることにより、フィルター有効面積が低減してしまう。
【０００５】
このため、フィルターを横置きに設置することが考えられる。
その場合、鋼材を溶接やボルトで固定し、その上に複数のフィルター材を積み重ねて、フィルター有効面積の低減防止を図るが、フィルター材をそれぞれ独立していたのでは設置するにも手間が掛かってしまう。また、既存のタンクにフィルター設置用の特殊加工が必要となる。
【０００６】
本発明の課題は、沈殿物によって埋まることによるフィルター有効面積の低減を防止しながら、タンク内に簡単に設置できる濾過ユニットを提供することである。
【課題を解決するための手段】
【０００７】
以上の課題を解決するため、請求項１に記載の発明は、
外面上部に対向する注入口及び吐出口を備えるタンクの内部に設置される濾過ユニットであって、
濁水を浄化するフィルターを横置きに並べて収容するカートリッジと、
このカートリッジの下面周囲に着脱可能に取り付けられる脚と、を備え、
前記カートリッジは、上下に複数段重ねられて、枠体の上下面に網体を着脱可能に取り付けて構成され、
前記カートリッジの外周面に、前記タンク内面との漏水防止用のパッキング材が設けられ、
前記タンクの内部に、前記複数段重ねられたカートリッジを前記脚で置いて、前記タンクの前記吐出口側の三面の内面に前記パッキング材を密着させ、
前記タンクの内部の前記注入口側の上部に仕切板を入れて、前記複数段重ねられたカートリッジの周囲の一面の前記パッキング材に前記仕切板の下半部を密着させたことを特徴とする。
【０００８】
請求項２に記載の発明は、
請求項１に記載の濾過ユニットであって、
前記網体の周囲に、上下に重ねられる前記カートリッジとの漏水防止用のパッキング材を備えることを特徴とする。
【０００９】
請求項３に記載の発明は、
請求項１または２に記載の濾過ユニットであって、
前記カートリッジ内部の周囲には、横置きに並べて収容する前記フィルターを載せる弾性部材による漏水防止材を備えることを特徴とする。
【００１０】
請求項４に記載の発明は、
請求項１から３のいずれか一項に記載の濾過ユニットであって、
前記仕切板の側部に、前記タンク内面との漏水防止用のパッキング材を備えることを特徴とする。
【発明の効果】
【００１５】
本発明によれば、沈殿物によって埋まることによるフィルター有効面積の低減を防止しながら、タンク内に簡単に設置できる濾過ユニットを提供することができる。
すなわち、タンクの内部において、濁水は注入口側から吐出口と向けて流れ、上下複数段のカートリッジに収容して横置き配置したフィルターに対して、濁水の通過面が下から上になることによって、自然沈降による濁度の低減が促されるのと同時に、沈殿物によってもフィルターが埋まることがなく、フィルターの有効面積の低減を防止することができる。
また、上下複数段のカートリッジは、各々の網体をそれぞれ外して、全面開放することができるので、フィルターの交換も容易に行える。
また、縦置きの場合と比べ横置きは、列数は増設するが、段数が少なくなるので、フィルターの交換が容易になる。つまり、鉛直に設置されたフィルターを交換する場合、処理前と処理後の濁水が混合しないように水槽内の濁水をいったん排水する必要があるが、上下複数段のカートリッジに収容してフィルターを水平設置する場合は、カートリッジを撤去しても処理前と処理後の濁水が混合しないため、水槽内の濁水を排水することなく、カートリッジの交換が可能となる。
また、縦置き設置よりも横置き設置の場合は、荒い粒子が自然沈降している。このため、フィルターの負担が軽減され、濁水浄化処理効果の持続が可能となる。つまり、濁水は下から上に向かって流れるため、汚泥は水平に設置されたフィルターの底部に付着する。この際、重力の影響を受けて一部の汚泥は落下するため、フィルターへの汚泥付着は低減されることとなる。
【図面の簡単な説明】
【００１６】
【図１】本発明を適用した濾過ユニットの一実施形態の構成を示すもので、タンク内に設置状態の縦断面図である。
【図２】図１の濾過ユニットのカートリッジ及び脚を拡大図である。
【図３】図２のカートリッジと脚の分解図である。
【図４】図３のカートリッジの平面図である。
【図５】カートリッジ内に収容されるフィルターとその端部用漏水防止材の正面図である。
【図６】図５の端部用漏水防止材の正面図（ａ）と側面図（ｂ）である。
【図７】カートリッジ内に収容されるフィルターとその側面用漏水防止材の正面図である。
【図８】図７の側面用漏水防止材の正面図（ａ）と側面図（ｂ）である。
【図９】図１の仕切板の正面図である。
【図１０】タンク内にカートリッジを二基並列に設置した変形例を示した縦断面図である。
【発明を実施するための形態】
【００１７】
以下、図を参照して本発明を実施するための形態を詳細に説明する。
図１は本発明を適用した濾過ユニットの一実施形態の構成としてタンク内への設置状態を示したもので、図中、１はタンク、２は注入口、３は吐出口、４は濾過ユニット、５は上段カートリッジ、６は下段カートリッジ、７は脚、８は仕切板である。
【００１８】
図示のように、タンク１には、外面上部に対向する注入口２及び吐出口３が備えられて、内部に濾過ユニット４が設置されている。濾過ユニット４は、上段カートリッジ５及び下段カートリッジ６と、脚７と、仕切板８とから構成される。
【００１９】
図２は濾過ユニット４のカートリッジ５・６及び脚７を拡大して示したもので、図中、９はフィルターである。
【００２０】
すなわち、上段カートリッジ５及び下段カートリッジ６の内部には、濁水を浄化するフィルター９が横置きに並べてそれぞれ収容されている。
フィルター９としては、乾燥植物体を円筒状に成形して同質のネットで包んだバイオログナチュラルフィルター（バイオログは登録商標）を使用する。
【００２１】
上段カートリッジ５及び下段カートリッジ６は鋼製で、図３及び図４にも示すように、鉄板による枠体５１・６１の上下面に、鉄網による網体５２・６２を、その周囲の漏水防止鉄板５３・６３において、固定ボルト５４・６４でそれぞれ着脱可能に取り付けて構成されている。
【００２２】
下段カートリッジ６の下面の周囲には、脚７が前記固定ボルト６４でそれぞれ着脱可能に取り付けられている。
脚７の下端には、水平調整用の台座７１がそれぞれ取り付けられている。
【００２３】
そして、枠体５１・６１の外周面を覆うように、タンク１の内面との漏水防止用のパッキング材５５・６５がそれぞれ取り付けられている。
パッキング材５５・６５はゴムやスポンジ等の弾性部材により形成されている。
【００２４】
また、網体５２・６２の周囲の漏水防止鉄板５３・６３には、上下に重ねられるカートリッジ５・６との漏水防止用のパッキング材５６・６６が、互いに干渉しないよう内周側と外周側に位置をずらしてそれぞれ取り付けられている。
パッキング材５６・６６もゴムやスポンジ等の弾性部材により形成されている。
【００２５】
さらに、カートリッジ５・６の内部の周囲には、横置きに並べて収容するフィルター９を載せる端部用漏水防止材５７・６７及び側面用漏水防止材５８・６８がそれぞれ敷設されている。
【００２６】
すなわち、端部用漏水防止材５７・６７は、カートリッジ５・６の内部において、下の網体５２・６２周囲の漏水防止鉄板５３・６３上に、横置きに並べて収容するフィルター９の端部に沿って敷設されるもので、図５及び図６に示すように、フィルター９の端部を載せる凹部５７ａ・６７ａがそれぞれ形成されている。
端部用漏水防止材５７・６７もゴムやスポンジ等の弾性部材により形成されている。
【００２７】
また、側面用漏水防止材５８・６８は、カートリッジ５・６の内部において、下の網体５２・６２周囲の漏水防止鉄板５３・６３上に、横置きに並べて収容するフィルター９の外側面に沿って敷設されるもので、図７及び図８に示すように、フィルター９の下部外側面を載せる斜面５８ａ・６８ａがそれぞれ形成されている。
側面用漏水防止材５８・６８もゴムやスポンジ等の弾性部材により形成されている。
【００２８】
図９はタンク１の上部に着脱可能に取り付けて吊り下げられてカートリッジ５・６の側面に配置される鉄板による仕切板８を示すものである。
【００２９】
図示のように、仕切板８は、上端部の両側に突出して下方に屈曲する一対の吊り付け金具８１をそれぞれ備えている。この吊り付け金具８１の下部に、タンク１の上端部外側面に固定するタンク固定ボルト８２がそれぞれ組み付けられている。
【００３０】
また、仕切板８の下端部の両側には、一面側に突出する固定金具８３をそれぞれ備えている。この固定金具８３に、タンク１の内面に固定するタンク固定ボルト８４がそれぞれ組み付けられている。
【００３１】
そして、仕切板８の両側部に沿って、タンク１の内面との漏水防止用のパッキング材８５がそれぞれ取り付けられている。
パッキング材８もゴムやスポンジ等の弾性部材により形成されている。
【００３２】
以上の構成による濾過ユニット４は、図１に示したように、タンク１の内部に、二段重ねの上段カートリッジ５及び下段カートリッジ６を脚７で置いて、タンク１の吐出口３側の三面の内面にパッキング材５５・６５をそれぞれ密着させる。
【００３３】
このように、カートリッジ５・６に脚７を装着することで、カートリッジ５・６を水平設置することができる。
【００３４】
続いて、タンク１の内部の注入口２側に仕切板８を入れて、上段カートリッジ５及び下段カートリッジ６の周囲の一面のパッキング材５５・６５に、仕切板８の下半部をそれぞれ密着させるとともに、仕切板８の両側部のパッキング材８５をタンク１の内面にそれぞれ密着させる。
【００３５】
そして、仕切板８の上端部の吊り付け金具８１のタンク固定ボルト８２をそれぞれ締め込んで、タンク１の上端部外側面にそれぞれ固定する。
さらに、仕切板８の下端部の固定金具８３のタンク固定ボルト８４をそれぞれ締め込んで、タンク１の内面にそれぞれ固定する。
【００３６】
このように、タンク１の縁に仕切板８を吊るすことで、仕切板８を簡単に設置することができる。
【００３７】
そして、濾過ユニット４として、カートリッジ方式を採用することで、下段カートリッジ６のフィルター９を交換または洗浄する際は、上段カートリッジ５を取り外すだけで簡単に行える。
【００３８】
また、上下のカートリッジ５・６間の接合部において、お互いが干渉しないように内周側と外周側に位置をずらしてパッキング材５６・６６を設置することで、二重の遮水効果を得ることができる。
【００３９】
また、脱着可能な脚７、水平調整用の台座も付いていて、脱着可能な脚７を使用することで、カートリッジ５・６の洗浄やローテーションの手間が掛らない。
【００４０】
また、カートリッジ５・６は、固定ボルト５４・６４をそれぞれ外すことで、網体５２・６２をその周囲の漏水防止鉄板５３・６３ごとそれぞれ外して、全面開放することができるので、フィルター９の交換も容易に行える。
【００４１】
しかも、タンク１の内部において、濁水は注入口２側から吐出口３へと向けて流れ、図２に示したように、カートリッジ５・６に収容して横置き配置したフィルター９に対して、濁水の通過面が下から上になることによって、自然沈降による濁度の低減が促されるのと同時に、沈殿物によってもフィルター９が埋まることがなく、フィルター９の有効面積の低減を防止することができる。
【００４２】
なお、円柱状のフィルター９を上下二段で向きを９０度変えて互い違いに設置すれば、上段の円柱状のフィルター９と下段の円柱状のフィルター９との接点を９０度変えて、濁水の流れに対する濾過材の密度を均一化することができる。
【００４３】
そして、横置きのフィルター９の場合は、一定の水深に設置されているので、フィルター９の設置位置による水圧の影響を受けにくい。すなわち、横置きのフィルター９に対して水圧が均等にかかることで、フィルター９を通る濁水は均等に浄化処理される。
【００４４】
また、縦置きの場合と比べ横置きは、列数は増設するが、段数が少なくなるので、フィルター９の交換が容易になる。つまり、鉛直に設置されたフィルターを交換する場合、処理前と処理後の濁水が混合しないように水槽内の濁水をいったん排水する必要があるが、カートリッジ５・６に収容してフィルター９を水平設置する場合は、カートリッジ５・６を撤去しても処理前と処理後の濁水が混合しないため、水槽内の濁水を排水することなく、カートリッジ５・６の交換が可能となる。
【００４５】
また、縦置き設置よりも横置き設置の場合は、荒い粒子が自然沈降している。このため、フィルター９の負担が軽減され、濁水浄化処理効果の持続が可能となる。つまり、濁水は下から上に向かって流れるため、汚泥は水平に設置されたフィルター９の底部に付着する。この際、重力の影響を受けて一部の汚泥は落下するため、フィルター９への汚泥付着は低減されることとなる。
【００４６】
また、実施形態のように、濁水処理ウォータータンク１（ノッチタンク）に用いることで、沈砂池設置用地や沈砂池の掘削許可が得られない場合でも対応ができ、特に都市土木での濁水処理対策として期待される。
【００４７】
さらに、汚泥はタンク１の底面に堆積するため、鉛直設置に比べて汚泥回収は容易となる。
【００４８】
（変形例）
図１０はタンク１内にカートリッジ５・６を二基並列に設置した変形例を示したものである。
【００４９】
このように、必要に応じカートリッジ５・６を二基並列に設置して、対応流量を調節することもできる。
【００５０】
（他の変形例）
以上の実施形態においては、乾燥植物体を圧縮成形したバイオログナチュラルフィルターとしたが、本発明はこれに限定されるものではなく、乾燥植物体を圧縮成形した成形体以外のフィルター、例えば細かい繊維を使用したループ状のモールコードや、熱可塑性合成樹脂を加熱溶融してノズルより押し出し、繊條としたものをカールさせたまま積み重ね、繊條の相互接点を溶着成型して一体化したポーラス材等でもよい。
【００５１】
また、実施形態ではカートリッジを上下二段としたが、必要に応じ三段以上としてもよい。その場合、脚の高さを調節することで、カートリッジの段数を調節することができる。
【００５２】
さらに、フィルター、カートリッジ、脚、仕切板、タンク、流入口、排水口の形状等も任意であり、その他、具体的な細部構造等についても適宜に変更可能であることは勿論である。
【符号の説明】
【００５３】
１  タンク
２  注入口
３  吐出口
４  濾過ユニット
５  上段カートリッジ
５１  枠体
５２  網体
５３  漏水防止鉄板
５４  固定ボルト
５５  パッキング材
５６  パッキング材
５７  端部用漏水防止材
５７ａ  凹部
５８  側面用漏水防止材
５８ａ  斜面
６  下段カートリッジ
６１  枠体
６２  網体
６３  漏水防止鉄板
６４  固定ボルト
６５  パッキング材
６６  パッキング材
６７  端部用漏水防止材
６８ａ  凹部
６８  側面用漏水防止材
６８ａ  斜面
７  脚
７１  台座
８  仕切板
８１  吊り付け金具
８２  タンク固定ボルト
８３  固定金具
８４  タンク固定ボルト
８５  パッキング材
９  フィルター
【図１】
0005681503.tif 000002
【図２】
0005681503.tif 000003
【図３】
0005681503.tif 000004
【図４】
0005681503.tif 000005
【図５】
0005681503.tif 000006
【図６】
0005681503.tif 000007
【図７】
0005681503.tif 000008
【図８】
0005681503.tif 000009
【図９】
0005681503.tif 000010
【図１０】
0005681503.tif 000011